(57)【特許請求の範囲】
【請求項１】
地組織に現された模様の部分にネットが重ね合わされ、前記ネットと前記地組織が袋状になるように製織された織物であって、前記ネットは、撚り金銀糸からなる経糸と、壁糸からなる緯糸を平織り状に交錯させることによって形成され、前記撚り金銀糸は前記壁糸の捩れた部分に係止されており、前記ネットから前記地組織の模様が透けて見えるようになっていることを特徴とする透し織物。
【発明の詳細な説明】
【０００１】
【発明の属する技術分野】
本発明は、地組織に現された模様部分にネットが重ね合わされ、ネットと織物が袋状になるように製織された透し織物に関するものである。
【０００２】
【従来の技術】
従来の透し織物として、例えば、模様が現された地組織とネットを上下に重ね合わせ、これらの間に多数本の金糸を緯糸方向に介在配置した状態で、地組織およびネットを同時に織り出し、地組織の模様の部分において、地組織とネットを袋状に形成したものが知られている。
【０００３】
そして、この透し織物においては、ネットを通して地組織の模様上に金糸が見えることによって、織物に豪華な感じを与えるようになっている。
【０００４】
しかしながら、この従来の透し織物では、ネットは単に地組織の模様上に金糸を保持するための部材としてしか機能せず、ネットを形成する経糸と緯糸が互いに対してずれ易く、ネット上にこれら経糸および緯糸が密になる領域と、疎らになる領域が生じていた。このため、地組織の模様および金糸がネット全体にわたって均一に見えず、ネットが地組織にうまく融合せず、織物に豪華な感じを与えるという所期の目的が十分達成されていなかった。
【０００５】
【発明が解決しようとする課題】
したがって、本発明は、地組織に現された模様部分にネットが重ね合わされ、ネットと地組織が袋状になるように製織された透し織物において、ネットから織物の模様が均一に透けて見え、豪華で優美な外観が生じるようにすることにある。
【０００６】
【課題を解決するための手段】
上記課題を解決するため、本発明は、地組織に現された模様の部分にネットが重ね合わされ、前記ネットと前記地組織が袋状になるように製織された織物であって、前記ネットは、撚り金銀糸からなる経糸と、壁糸からなる緯糸を平織り状に交錯させることによって形成され、前記撚り金銀糸は前記壁糸の捩れた部分に係止されており、前記ネットから前記地組織の模様が透けて見えるようになっていることを特徴とする透し織物を構成したものである。
【０００８】
【発明の実施の形態】
以下、添付図面を参照しながら、本発明の好ましい実施例について説明する。本発明による透し織物は、地組織に現された模様の部分にネットが重ね合わされ、ネットと地組織が袋状になるように製織されたものである。ネットは壁糸と撚り金銀糸から構成され、ネットから地組織の模様が透けて見えるようになっている。
この実施例では、ネットは、撚り金糸からなる経糸と、壁糸からなる緯糸から構成されている。
【０００９】
本発明による透し織物の地組織の種類は特に限定されるものではなく、例えば、平織り、綾織り、朱子織り等々、公知の種々の織物組織を適用することができる。また、地組織に現される模様もどのようなものであってもよい。
【００１０】
図１は、本発明による透し織物における地組織とネットが袋状になっている部分の組織構造を示した図であり、（Ａ）〜（Ｄ）は、それぞれ、当該袋状部分における地組織の順次隣接する緯糸に沿った断面図であり、（Ｅ）は、当該袋状部分におけるネットの概略的な平面図である。
図１において、Ａ1 〜Ａ4 はネットの緯糸をなす壁糸であり、Ｂ1 〜Ｂ8 はネットの経糸をなす撚り金糸である。Ｃ1 〜Ｃ4 は地組織の模様を形成する色糸であり、Ｄ1 〜Ｄ2 は地組織の第１の緯糸であり、Ｅ1 〜Ｅ2 は地組織の第２の緯糸である。また、Ｆ1 〜Ｆ9 は地組織の経糸である。
【００１１】
図１からわかるように、ネットの緯糸をなす壁糸Ａ1 〜Ａ4 は、順次、地組織の色糸Ｃ1 、Ｃ3 、−−−上にある一方、地組織の色糸Ｃ2 、Ｃ4 、−−−上にはない。すなわち、壁糸Ａ1 〜Ａ4 は、地組織の順次隣接する色糸の１本おきに配置されている。また、ネットの経糸をなす撚り金糸Ｂ1 〜Ｂ8 および地組織の経糸Ｆ1 〜Ｆ9 は交互に配列されている。
【００１２】
図２は、本発明による透し織物の上記袋状部分における地組織の経糸に沿った断面図であり、（Ａ）は経糸Ｆ1 に沿った断面図、（Ｂ）は経糸Ｆ2 に沿った断面図である。なお、（Ａ）および（Ｂ）において、地組織の経糸に隣接するネットの経糸も同時に示した。
図２からわかるように、第１および第２の緯糸Ｄ1 〜Ｄ2 、Ｅ1 〜Ｅ2 は地組織の底を形成しており、色糸Ｃ1 〜Ｃ4 と第１および第２の緯糸Ｄ1 〜Ｄ2 、Ｅ1 〜Ｅ2 が、経糸Ｆ1 〜Ｆ9 と交錯しながら織られることによって地組織が形成されている。
【００１３】
図３はネットの構成をより詳細に説明した平面図である。図３に示したように、ネットは、経糸をなす撚り金糸Ｂ1 〜Ｂ7 と、緯糸をなす壁糸Ａ1 〜Ａ4 が平織状に交錯し、撚り金糸Ｂ1 〜Ｂ7 が壁糸Ａ1 〜Ａ4 の捩じれた部分に係止されることによって形成されている。このため、ネットの経糸および緯糸は、容易に相互にずれることがなく、常に、ネットの全体にわたってほぼ均一な大きさの目が形成される。すなわち、ネット上において、経糸および緯糸が密になる領域と、疎らになる領域とが生じることはない。
【００１４】
図４は、本発明による透し織物のネットを有していない部分（地組織のみからなる部分）の組織構造を示した図であり、（Ａ）は織物組織図、（Ｂ）は織物の緯糸方向の断面図、（Ｃ）は織物の経糸方向の断面図である。
図４に示したように、第１の経糸１、３、５、７、９、１１、１３、１５と、第２の経糸２、４、６、８、１０、１２、１４、１６が交互に配列され、これらに、第１の緯糸二、四と、第２の緯糸一、三、五が交互に交錯するように織られて織物の地組織が形成されている。
【００１５】
図４において、第１の経糸１、３、５、７、９、１１、１３、１５は、図１〜図３に示した撚り金糸Ｂ1 〜Ｂ8 に対応し、第２の経糸２、４、６、８、１０、１２、１４、１６は、図１〜図２に示した経糸Ｆ1 〜Ｆ9 に対応している。また、第１の緯糸二、四および第２の緯糸一、三、五は、それぞれ、図１〜図２に示した第１の緯糸Ｄ1 〜Ｄ2 および第２の緯糸Ｅ1 〜Ｅ2 に対応している。
このようにして、地組織の模様部分にネットが重ね合わされた状態で、ネットと地組織が袋状になるように製織がなされる。
【００１６】
図５は、本発明による透し織物を表側から見た平面図であり、ネットの一部を破断した図である。
図５からわかるように、本発明による透し織物においては、地組織Ｇの模様部分Ｐが金糸を含むネットＮによって覆われ、ネットＮと地組織Ｇが袋状になるように製織されており、ネットＮから地組織Ｇの模様Ｐが透けて見えるようになっている。
【００１７】
そして、金糸を含むネットＮを通して地組織Ｇの模様Ｐが見えるようにしたので、地組織Ｇの模様Ｐに独特の色合いが付与される。さらには、ネットＮを構成する壁糸および金糸は容易に相互にずれることがなく、ネットＮの全体にわたってネットＮの目が均一になるように保持されるので、ネットＮが織物にうまく融合する。こうして、織物は豪華で優美な外観を呈するようになる。
【００１８】
【発明の効果】
以上のように、本発明によれば、壁糸と撚り金銀糸からネットを構成し、織物の地組織の模様部分をこのネットで覆い、金銀糸を含むネットから織物の模様が透けて見えるようにしたので、織物の模様の部分に独特の色合いが生じる。加えて、ネットを構成する壁糸と金糸は容易に相互にずれることがなく、ネット全体にわたってネットの目が均一になるように保持されるので、ネットが織物にうまく融合する。こうして、織物に豪華で優美な外観が付与される。
【図面の簡単な説明】
【図１】本発明による透し織物における地組織とネットが袋状になっている部分の組織構造を示した図であり、（Ａ）〜（Ｄ）は、それぞれ、当該袋状部分における地組織の順次隣接する緯糸に沿った断面図であり、（Ｅ）は、当該袋状部分におけるネットの概略的な平面図である。
【図２】本発明による透し織物の上記袋状部分における地組織の経糸に沿った断面図であり、（Ａ）は経糸Ｆ1 に沿った断面図、（Ｂ）は経糸Ｆ2 に沿った断面図である。
【図３】ネットの構成をより詳細に説明した平面図である。
【図４】本発明による透し織物のネットを有していない部分（地組織のみからなる部分）の組織構造を示した図であり、（Ａ）は織物組織図、（Ｂ）は織物の緯糸方向の断面図、（Ｃ）は織物の経糸方向の断面図である。
【図５】本発明による透し織物を表側から見た平面図であり、ネットの一部を破断した図である。
【符号の説明】
Ａ1 〜Ａ4   ネットの緯糸をなす壁糸
Ｂ1 〜Ｂ8   ネットの経糸をなす撚り金糸
Ｃ1 〜Ｃ4   地組織の模様を形成する色糸
Ｄ1 〜Ｄ2   地組織の第１の緯糸
Ｅ1 〜Ｅ2   地組織の第２の緯糸
Ｆ1 〜Ｆ9   地組織の経糸
１、３、５、７、９、１１、１３、１５  地組織の第１の経糸
２、４、６、８、１０、１２、１４、１６  地組織の第２の経糸
二、四  地組織の第１の緯糸
一、三、五  地組織の第２の緯糸
Ｇ  地組織
Ｐ  模様
Ｎ  ネット
【図１】
0003947620.tif 000002
【図２】
0003947620.tif 000003
【図３】
0003947620.tif 000004
【図４】
0003947620.tif 000005
【図５】
0003947620.tif 000006